(57)【要約】【課題】居住者（家族）が、片付けに関する家事を自発的にシェアすることが可能な住宅を提供する。【解決手段】複数の居住者向けの住宅は、居住者の洗濯物を乾燥させるために用いられる乾燥部屋（３１）と、乾燥部屋（３１）で乾燥された洗濯物を仮置きするために用いられる仮置き部屋（３２）とを備える。仮置き部屋（３２）は、乾燥部屋（３１）に隣接し、かつ、乾燥部屋（３１）との境界部に出入口（４１）を有する非居室である。仮置き部屋（３２）は、互いに区切られた複数の仮置き空間（６０）を含む。【選択図】図３
2017066629.tif 000002
【特許請求の範囲】
【請求項１】
複数の居住者向けの住宅であって、
居住者の洗濯物を乾燥させるために用いられる乾燥部屋と、
前記乾燥部屋に隣接し、かつ、前記乾燥部屋との境界部に出入口を有する非居室であり、前記乾燥部屋で乾燥された洗濯物を仮置きするために用いられる仮置き部屋とを備え、
前記仮置き部屋は、互いに区切られた複数の仮置き空間を含む、住宅。
【請求項２】
前記乾燥部屋および前記仮置き部屋とは異なる場所に配置され、複数の居住者それぞれの衣服を収納するための複数の衣服収納部をさらに備え、
前記仮置き部屋の各仮置き空間は、居住者ごとに設けられている、請求項１に記載の住宅。
【請求項３】
前記仮置き部屋は、平面視において略矩形形状であり、
前記乾燥部屋との境界部を構成する辺とは異なる辺において、前記仮置き部屋に隣接して配置された廊下をさらに備え、
前記仮置き部屋は、前記廊下との境界部に、廊下側出入口を有している、請求項２に記載の住宅。
【請求項４】
前記複数の衣服収納部のうちの少なくとも一つは、前記乾燥部屋および前記仮置き部屋とは異なる階の部屋に設けられ、
前記廊下側出入口は、前記異なる階の部屋へと繋がる階段の昇降口に隣接または対面した状態で配置されている、請求項３に記載の住宅。
【請求項５】
前記複数の衣服収納部のうちの少なくとも一つは、前記乾燥部屋および前記仮置き部屋とは異なる階の部屋に設けられ、
前記乾燥部屋は、前記仮置き部屋との境界部に設けられた出入口に加え、前記異なる階の部屋へと繋がる階段の昇降口に隣接または対面した状態で配置された階段側出入口を有している、請求項２に記載の住宅。
【請求項６】
前記仮置き部屋は、前記仮置き空間に加え、衣服を正規収納するための正規収納空間をさらに含む、請求項１〜５のいずれかに記載の住宅。
【発明の詳細な説明】
【技術分野】
【０００１】
本発明は、複数の居住者向けの住宅に関し、特に、子育てファミリー向けの住宅に関する。
【背景技術】
【０００２】
特開２０００−０８０８０９号公報（特許文献１）には、リビングとダイニングとキッチンとを具備したＬＤＫと同じ階に、短時間行為ができる空間であるユースフルスペースを配置した３階建て住宅が配置されている。ユースフルスペースは、化粧台・洗濯室と、クローゼット・畳部屋とで構成される。これにより、主婦が住宅の階段を昇降する上下階移動回数を少なくすることが可能となる。
【先行技術文献】
【特許文献】
【０００３】
【特許文献１】特開２０００−０８０８０９号公報
【発明の概要】
【発明が解決しようとする課題】
【０００４】
子育てファミリーの主婦は、一日中家事に追われる。特に、共働き世帯の場合、女性が仕事と子育てをしながら家事をこなすことは、非常に負担が大きい。一方で、共働き世帯の増加に伴い、従来よりも、夫婦で家事を分担する家庭も増えてきている。しかし、家事の一部（たとえばゴミ出し、食器洗いなど）を男性が手伝うだけでは、女性の負担はそれほど減らないというのが実情である。
【０００５】
上記特許文献１の住宅では、主婦の家事を効率良くこなすための工夫がなされているが、家事をこなすのは女性という前提となっている。家事の中でも、洗濯物の片付け作業など、片付けに関する家事を居住者で分け合う（シェアする）ことができれば、女性の負担は減少すると考えられる。
【０００６】
本発明は、上記のような課題を解決するためになされたものであって、その目的は、居住者（家族）が、片付けに関する家事を自発的にシェアすることが可能な住宅を提供することである。
【課題を解決するための手段】
【０００７】
この発明のある局面に従う住宅は、複数の居住者向けの住宅であって、乾燥部屋と、仮置き部屋とを備える。乾燥部屋は、居住者の洗濯物を乾燥させるために用いられる。仮置き部屋は、乾燥部屋に隣接し、かつ、乾燥部屋との境界部に出入口を有する非居室である。仮置き部屋は、乾燥部屋で乾燥された洗濯物を仮置きするために用いられる。仮置き部屋は、互いに区切られた複数の仮置き空間を含む。
【０００８】
住宅は、乾燥部屋および仮置き部屋とは異なる場所に配置され、複数の居住者それぞれの衣服を収納するための複数の衣服収納部をさらに備えていてもよい。このような場合、仮置き部屋の各仮置き空間は、居住者ごとに設けられていることが望ましい。
【０００９】
好ましくは、仮置き部屋は、平面視において略矩形形状である。住宅は、乾燥部屋との境界部を構成する辺とは異なる辺において、仮置き部屋に隣接して配置された廊下をさらに備えていてもよい。この場合、仮置き部屋は、廊下との境界部に、廊下側出入口を有していることが望ましい。
【００１０】
複数の衣服収納部のうちの少なくとも一つは、乾燥部屋および仮置き部屋とは異なる階の部屋に設けられていてもよい。この場合、廊下側出入口は、異なる階の部屋へと繋がる階段の昇降口に隣接または対面した状態で配置されていることが望ましい。
【００１１】
あるいは、複数の衣服収納部のうちの少なくとも一つが、乾燥部屋および仮置き部屋とは異なる階の部屋に設けられる場合、乾燥部屋が、仮置き部屋との境界部に設けられた出入口に加え、異なる階の部屋へと繋がる階段の昇降口に隣接または対面した状態で配置された階段側出入口を有していてもよい。
【００１２】
仮置き部屋は、仮置き空間に加え、衣服を正規収納するための正規収納空間をさらに含んでいてもよい。
【発明の効果】
【００１３】
本発明によれば、仮置き部屋に、乾燥した洗濯物を仮置きすることができる。これにより、仮置き後の洗濯物の片付け作業を、複数の居住者（家族）でシェアし易くすることが可能となる。
【図面の簡単な説明】
【００１４】
【図１】本発明の実施の形態に係る住宅の１階部の間取り例を示す図である。
【図２】本発明の実施の形態に係る住宅の２階部の間取り例を示す図である。
【図３】本発明の実施の形態に係る住宅の１階部のうち、乾燥部屋および仮置き部屋近傍の間取り例を部分的に示す図である。
【図４】本発明の実施の形態において、仮置き部屋に設置される棚の構成例を示す正面図である。
【図５】本発明の実施の形態に係る住宅の１階部における他の間取り例を示す図である。
【図６】本発明の実施の形態において、仮置き部屋に設置される棚の他の構成例を示す正面図である。
【図７】本発明の実施の形態において、仮置き部屋に設置される棚のさらに他の構成例を示す正面図である。
【図８】本発明の実施の形態に係る住宅の１階部におけるさらに他の間取り例を示す図である。
【図９】本発明の実施の形態に係る住宅の居間に設置されるキャビネットおよび壁面ラックを模式的に示す斜視図である。
【図１０】図９に示した壁面ラックの構成例を示す図である。
【図１１】本発明の実施の形態において、クロークルームに設置される衣服クローク部を模式的に示す斜視図である。
【図１２】本発明の実施の形態において、クロークルームに設置される靴クローク部を模式的に示す斜視図である。
【発明を実施するための形態】
【００１５】
本発明の実施の形態について図面を参照しながら詳細に説明する。なお、図中同一または相当部分には同一符号を付してその説明は繰返さない。
【００１６】
（概要について）
はじめに、本実施の形態に係る住宅の概要について説明する。
【００１７】
本実施の形態に係る住宅は、子育てファミリーが居住することが想定される。日々の生活で必要な家事のうち、洗濯物を片付ける（収納する）、居間に散らかった物を片付ける、帰宅時に家族が脱いだ靴や服を片付ける、といった、片付けに関する家事は、女性（主婦）に一任されがちである。本実施の形態に係る住宅は、特にこのような家事を各居住者が自発的に手伝える屋内環境を提供している。以下の説明では、一例として、住宅には、父（夫）、母（主婦）、第一子、第二子の４人家族が居住すると仮定する。
【００１８】
図１および図２は、本実施の形態に係る住宅の１階部１０および２階部２０の間取り例をそれぞれ示す図である。住宅は、一般的な住宅と同様に、複数の部屋を備えている。具体的には、１階部１０に、玄関１１、居間１２、キッチン１３、トイレ１４、浴室１５、洗面・洗濯室１６、および廊下１７が設けられている。２階部２０に、寝室２１、複数の子供部屋２２，２３、トイレ２４、納戸２５、廊下２６、およびバルコニー２７が設けられている。また、住宅には、１階部１０から２階部２０に繋がる階段１８が設けられている。
【００１９】
玄関１１、トイレ１４，２４、浴室１５、洗面・洗濯室（以下「洗濯室」と略す）１６、廊下１７，２６、階段１８，２７、および納戸２５は、非居室である。非居室は、衛生目的や通路として使用され、継続的に使用されない空間（部屋）を表わす。
【００２０】
居間１２、キッチン１３、寝室２１、および子供部屋２２，２３は、居室である。居室は、一定時間継続的に使用される空間（部屋）を表わす。居間１２は、家族が集う公的空間であり、リビングルーム、ダイニングルーム、および和室を含み得る。寝室２１は、夫婦で使用する個室（私的空間）であり、子供部屋２２，２３は、第一子および第二子がそれぞれ使用する個室（私的空間）である。
【００２１】
２階部２０の寝室２１には、父（夫）の衣服を収納するための衣服収納部２１ａと、母（主婦）の衣服を収納するための衣服収納部２１ｂとが配置されている。これらの衣服収納部２１ａ，２１ｂは、たとえば、寝室２１内のウォークインクローゼットに設けられる。
【００２２】
また、２階部２０の子供部屋２２には、第一子の衣服を収納するための衣服収納部２２ａが配置されている。子供部屋２３には、第二子の衣服を収納するための衣服収納部２３ａが配置されている。衣服収納部２２ａ，２３ａは、それぞれ、子供部屋２２，２３内のクローゼットに設けられる。
【００２３】
本実施の形態において、玄関１１はたとえば南向きである。また、１階の居間１２が南東の角部、キッチン１３が北東の角部に配置される。洗濯室１６は、北西の角部に配置される。洗濯室１６は、浴室１５に隣接し、洗濯機５２が設置される。
【００２４】
ここで、本実施の形態の住宅の特徴として、１階部１０に、乾燥部屋３１と、仮置き部屋３２とが設けられている。乾燥部屋３１は、洗濯物を乾燥させるために用いられる非居室である。仮置き部屋３２は、乾燥部屋３１で乾燥された洗濯物を仮置きするために用いられる非居室である。仮置き部屋３２は、乾燥部屋３１に隣接し、かつ、乾燥部屋３１との境界部に出入口４１を有している。仮置き部屋３２は、後述するように、互いに区切られた複数の仮置き空間を含む。これにより、洗濯物の片付け作業を、家族でシェアし易くすることができる。したがって、家族全員の洗濯物を畳み、それぞれの衣服収納部に運んで収納する、とうい洗濯物の片付け作業に要する主婦の家事時間を短縮することができる。
【００２５】
本実施の形態の住宅の他の特徴として、家族が集う居間１２に、各居住者の個人用ボックスを有するキャビネット３３が設置されている。また、キャビネット３３近くの壁には、郵便物やお便りを入れる壁面ラック３４が設置されている。これにより、居間１２における物の片付け（整理）作業を、家族でシャアし易くすることができる。したがって、居間１２に散らかった家族の物や郵便物の片付け作業に要する主婦の家事時間を短縮することができる。
【００２６】
本実施の形態の住宅のさらに他の特徴として、玄関土間１１ａに繋がるクロークルーム３５が設けられている。これにより、帰宅時に家族が脱いだ靴や服を片付ける、といった玄関１１周りの片付け作業を、家族でシェアし易くすることができる。したがって、玄関土間１１ａに散らかった家族の靴の片付け作業や、玄関ホール１１ｂまたは居間１２に放置された家族の上着や鍵の片付け作業に要する主婦の家事時間を短縮することができる。
【００２７】
以下に、洗濯物の片付け作業、居間１２の片付け作業、および玄関１１周りの片付け作業を、家族でシェアできる住宅の内部構造（間取り、設備等）について、詳細に説明する。
【００２８】
（洗濯物の片付け作業のシェア）
まず、洗濯物の片付け作業のシェアを促すことのできる住宅の間取りについて説明する。図３には、住宅の１階部１０のうち、乾燥部屋３１および仮置き部屋３２近傍の間取り例が部分的に示されている。
【００２９】
乾燥部屋３１は、平面視において略矩形形状であり、北向きの外壁に設けられた窓３１ａに面している。窓３１ａは、透光性を有し、開閉可能である。これにより、乾燥部屋３１への採光と通風とが可能となる。乾燥部屋３１は、洗濯室１６に隣接している。乾燥部屋３１は、洗濯室１６との境界部に出入口４３を有している。出入口４３には、引き戸などの開閉部４３ａが設けられている。乾燥部屋３１の天井には、洗濯竿５１を取付けるための吊り具５１ａが予め設けられていてもよい。洗濯竿５１に洗濯物を干した場合、窓３１ａからの採光と通風とによって、洗濯物を乾燥させることができる。
【００３０】
仮置き部屋３２は、平面視において略矩形形状であり、１階部１０の中央部に設けられている。仮置き部屋３２は、四辺それぞれに配置された間仕切壁によって、他の空間と仕切られている。仮置き部屋３２は、北側の間仕切壁（辺）において乾燥部屋３１と隣接し、東側の間仕切壁において階段１８と隣接している。また、仮置き部屋３２の南側および西側の２つの間仕切壁には、Ｌ字状の廊下１７が隣接して配置されている。
【００３１】
４つの間仕切壁のうちの２つに、出入口４１，４２がそれぞれ設けられている。具体的には、仮置き部屋３２は、乾燥部屋３１との境界部を構成する北側の間仕切壁と、廊下１７との境界部を構成する南側の間仕切壁とに、出入口４１，４２をそれぞれ有している。これにより、居住者は、出入口４１，４２を介して仮置き部屋３２を南北方向に通り抜けることが可能となっている。なお、各出入口４１，４２には、開き扉や引き戸などの開閉部４１ａ，４２ａがそれぞれ設けられている。
【００３２】
仮置き部屋３２は、居住者ごとの仮置き空間６０を含む。本実施の形態では、複数の仮置き空間６０が、棚６１，６２によって形成される。棚６１は、西側の間仕切壁に沿って設けられ、棚６２は、東側の間仕切壁に沿って設けられている。仮置き空間６０の歩行空間３２ａから見た棚６１の構成例が、図４に模式的に示されている。歩行空間３２ａは、出入口４１，４２に連通し、棚６１と棚６２とに挟まれる空間である。棚６２の構成も、棚６１と同様であるものとする。
【００３３】
図４に示されるように、各棚６１，６２は、たとえば、互いに間隔をあけて設けられた複数の仕切り板６３を含む。これにより、複数の仮置き空間６０が、互いに仕切られた状態で配置される。各棚６１，６２の仕切り板６３は、たとえば上下方向に延びる縦板で構成されている。この場合、複数の仮置き空間６０は、横方向において互いに仕切られる。各仮置き空間６０は、仮置き部屋３２の床面高さから天井高さまで延在していてもよい。なお、互いに隣接する仮置き空間６０は、横方向に延びる仕切り板によって、上下方向に仕切られてもよい。
【００３４】
本実施の形態のように、仮置き部屋３２に、居住者ごとの仮置き空間６０が含まれるため、乾燥部屋３１において乾かした洗濯物を、居住者ごとに仕分けした状態で、仮置き空間６０に置くことができる。
【００３５】
図４に示すように、棚６１（６２）には、仕切り板６３間において互いに間隔をあけて設けられた複数の横板６４が設けられていることが望ましい。これにより、各仮置き空間６０は、複数の空間（区画室）に分割される。この場合、同じ居住者の洗濯物であっても、たとえば種類に応じて仮置きする場所を変えることができる。したがって、きちんと畳まれていない状態で仮置きしても、洗濯物の皺の発生を防止することができる。
【００３６】
仮置き部屋３２の棚６１，６２は、各居住者が、どの仮置き空間６０が自分に割り当てられた空間であるかを認識し易くするために、各仮置き空間６０を他と識別可能に構成していることが望ましい。本実施の形態では、棚６１の３つの仮置き空間６０と、棚６２の３つの仮置き空間６０との全てに、通し番号が振られている。この場合、たとえば１番が父、２番が母、３番が第一子、４番が第二子、というように家族で取り決めておくことで、各居住者は、自分の仮置き空間６０を容易に識別することができる。なお、各仮置き空間６０を他と識別可能にするために棚板に表示される情報は、番号に限定されず、たとえば色であってもよい。つまり、仮置き空間６０を囲む棚板が色分けされていてもよい。
【００３７】
なお、本実施の形態では、棚６１，６２によって合計６個の仮置き空間６０が形成されているが、少なくとも居住者の人数分、仮置き空間６０が形成されていればよい。
【００３８】
上述のように、仮置き部屋３２には、居住者ごとの仮置き空間６０が設けられるため、仮置き空間６０に仮置きされた洗濯物の片付け作業を、居住者ごとに任せ易くすることができる。つまり、仮置き空間６０から自分の洗濯物を取り出し、取り出した洗濯物を自分の部屋まで運び、部屋内の衣服収納部に（畳んでから）収納する、という一連の作業を、各居住者に任せることができる。たとえば第一子であれば、３番と表示された仮置き空間６０に仮置きされた洗濯物を取り出し、２階部２０の子供部屋２２まで運び、衣服収納部２２ａに収納する、という作業を、自身で行う。これにより、通常は主婦一人が担っていた洗濯物の片付け作業に関する家事を、家族でシェアすることが可能となる。
【００３９】
ここで、本実施の形態では、乾燥部屋３１は、上記した、仮置き部屋３２との境界部に設けられた出入口４１、および、洗濯室１６との境界部に設けられた出入口４３に加え、階段１８の昇降口１８ａに隣接する出入口（階段側出入口）４４も有している。なお、乾燥部屋３１と西側の廊下１７との間の境界部にも、出入口４５が設けられてもよい。これらの出入口４４，４５にも、開き扉や引き戸などの開閉部４４ａ，４５ａがそれぞれ設けられている。
【００４０】
そのため、本実施の形態によれば、乾燥部屋３１の階段側出入口４４を通過点とし、仮置き部屋３２から乾燥部屋３１および階段１８を介して、各居住者の衣服収納部が設けられた部屋にまで至る、洗濯物の収納動線を形成することができる（図３および図１参照）。したがって、各居住者は、１階部１０から２階部２０へ上がるついでに、容易に洗濯物を運ぶことができる。すなわち、各居住者は、仮置き部屋３２において自身に割り当てられた仮置き空間６０から洗濯物を取り出して、２階部２０の自分の衣服収納部に運ぶ場合に、遠回りする必要がないため、洗濯物を運ぶ際の居住者の負担を軽減することができる。
【００４１】
さらに、仮置き部屋３２は、廊下１７側にも出入口４２を有しているため、居住者は、廊下１７から仮置き部屋３２に入り、乾燥部屋３１に抜けることができる。したがって、１階部１０の廊下１７を通って２階部２０の自身の部屋へ行く場合に、居間１２を通らず仮置き部屋３２を通ることを習慣にすることで、自発的に洗濯物の片付け作業を手伝うことができる。
【００４２】
また、本実施の形態では、乾燥部屋３１が、脱衣所を兼ねた洗濯室１６と隣接しているため、仮置き部屋３２に下着をそのまま置いておくことで、入浴の際に、仮置き部屋３２からそのまま下着を持っていくこともできる。このような場合、居住者は、下着以外の衣服だけを２階部２０の自分の部屋に運べばよいため、持ち運びが容易になる。
【００４３】
なお、本実施の形態では、仮置き部屋３２の廊下１７側の出入口４２は、乾燥部屋３１側の出入口４１と対面する位置、すなわち南側に設けられていたが、限定的ではない。廊下１７側の出入口４２は、たとえば西側に設けられていてもよい。つまり、仮置き部屋３２の２つの出入口４１，４２は、平面視において仮置き部屋３２を囲む四辺（間仕切壁）のうち、互いに異なる辺にそれぞれ設けられていればよい。
【００４４】
また、乾燥部屋３１と仮置き部屋３２と階段１８との位置関係は、図３のような例に限定されない。住宅の１階部１０における他の間取り例について説明する。
【００４５】
図５は、住宅の１階部１０における他の間取り例を示す図である。図５において、階段１８は、仮置き部屋３２の西側の間仕切り壁に沿って配置されており、階段１８の昇降口１８ａが、廊下１７に位置している。つまり、仮置き部屋３２の南側の出入口４２が、階段１８の昇降口１８ａに隣接している。この出入口４２は、階段１８の昇降口１８ａに対面した状態で設けられていてもよい。
【００４６】
なお、図５に示す乾燥部屋３１は、洗濯機５２を置くスペースを有している。また、乾燥部屋３１の出入口は、居間１２（およびキッチン１３）側の出入口４４と、仮置き部屋３２との境界部の出入口４１との２つだけであってもよい。
【００４７】
図５の間取り例において、１階部１０の居間１２から階段１８の昇降口１８ａへ向かう場合、居間１２から廊下１７へ抜ける出入口４６と、居間１２から乾燥部屋３１に入る（キッチン１３を経由してもよい）出入口４４との２ヵ所が利用可能である。階段１８の昇降口１８ａが廊下１７に位置する間取りの場合に、居間１２から乾燥部屋３１へ入る出入口４４が設けられることによって、居間１２から効率良く仮置き部屋３２を通過して階段１８の昇降口１８ａに向かう動線が形成される。
【００４８】
したがって、居住者は、１階部１０の居間１２で寛いだ後に２階部２０の自分の部屋に行く際には、出入口４４から乾燥部屋３１へ入り、乾燥部屋３１から出入口４１を介して仮置き部屋３２へ入り、そのまま仮置き部屋３２を通り抜けて、階段１８の昇降口１８ａに向かうことができる。つまり、居間１２から一旦廊下１７に出て、仮置き部屋３２を行き来する必要がない。その結果、各居住者の洗濯物の運搬作業を楽にすることができる。
【００４９】
なお、居住者それぞれの衣服収納部のうちの少なくとも一部は、２階部２０でなく１階部１０に設けられていてもよい。たとえば、子供部屋２３が１階部１０に設けられていてもよいし、居間１２の一角に第二子の衣服収納部２３ａが設けられていてもよい。このような場合、階段１８を介して２階部２０に配置された衣服収納部へ向かったり、廊下１７を介して１階部１０に配置された衣服収納部へ向かったりすることができる。つまり、仮置き部屋３２を、各自の衣服収納部へ向かう起点として位置付けることができる。
【００５０】
また、図５に示されるように、乾燥部屋３１内にカウンターテーブル５３を設置して、洗濯作業を容易にできるようにしてもよい。たとえば、アイロン掛けが必要な衣服については、乾燥した洗濯物をすぐに、カウンターテーブル５３にてアイロン掛けすることができる。各仮置き空間６０は、横板６４によって複数の区画室に分割されているため、同じ者の衣服であっても、畳んでいない洗濯物とアイロン掛けした洗濯物とを区分けして置くこともできる。
【００５１】
なお、図６の棚６１Ａのように、アイロン掛けした衣服などをハンガーに吊るした状態で仮置きできるように、各仮置き空間６０には、ハンガーパイプ６５が設けられていてもよい。
【００５２】
あるいは、乾燥部屋３１ではなく仮置き部屋３２に、アイロン掛け等の作業スペースを設けてもよい。具体的には、図５に示したようなカウンターテーブル５３を、仮置き部屋３２内に配置してもよい。
【００５３】
また、図７のように、棚６１Ｂは、居住者ごとの仮置き空間６０に加え、衣服を正規収納するための正規収納空間６６を含んでいてもよい。居住者ごとの正規収納空間６６は、たとえば、少なくとも１つの引き出し（収納用箱）によって形成される。このような場合、仮置き部屋３２を、朝の着替えスペースとして使用することもできる。したがって、忙しい朝の身支度時間を短縮することができる。なお、正規収納空間６６が、衣服収納部を構成してもよい。
【００５４】
図８は、住宅の１階部１０におけるさらに他の間取り例を示す図である。図８に示すように、仮置き部屋３２の出入口は１ヵ所であってもよい。具体的には、仮置き部屋３２は、乾燥部屋３１との境界部にのみ、出入口４１を有している。この場合、仮置き部屋３２は、ウォークスルークローゼットのような通り抜けができず、行き止まりとなっているため、ウォークインクローゼットのような構成となっている。なお、このような場合、複数の仮置き空間６０は、出入口４１から見て両サイドの間仕切壁でなく、対面する間仕切壁に設けられてもよい。
【００５５】
また、乾燥部屋３１の出入口４４は、階段１８の昇降口１８ａと対面した状態で配置されている。この場合においても、階段１８の昇降口１８ａは、廊下１７に配置されていてもよいし、居間１２に配置されていてもよい。
【００５６】
以上説明したように、乾燥部屋３１と仮置き部屋３２とが、同じ階において出入り可能に隣接している。また、これらの部屋３１，３２うちの一方の出入口が、各自の衣服収納部へ向かう際に通過する廊下１７側に配置されている。したがって、本実施の形態の住宅によれば、家族一人一人が、廊下１７を経て自身の部屋（衣服収納部）へ向かう際に通る経路を少し意識するだけで、洗濯物の片付け作業を家族でシェアすることができる。
【００５７】
なお、図３、図５および図８に示した乾燥部屋３１および仮置き部屋３２の構成、および、その周辺の部屋構成を、適宜組み合わせてもよい。
【００５８】
また、本実施の形態では、乾燥部屋３１が北側に配置されることとしたが、南側に配置されてもよい。この場合、乾燥部屋３１は、窓３１ａからの採光が期待できるため、サンルームのような機能を果たすこともできる。
【００５９】
また、乾燥部屋３１は、窓３１ａによって採光と通風とが可能であるが、室内干し用の送風機（図示せず）など、洗濯物の乾燥を促す手段が別途設けられてもよい。そのような場合には、特に、乾燥部屋３１は、窓３１ａを有さなくてもよい。
【００６０】
あるいは、乾燥部屋３１に、乾燥機能を有する洗濯乾燥機が設置されることを前提とする場合には、乾燥部屋３１は、脱衣所や洗面室として構成されてもよい。つまり、乾燥部屋３１と上記した洗濯室１６とが１つの部屋（非居室）として形成されてもよい。
【００６１】
また、乾燥部屋３１と仮置き部屋３２とが１階部１０に配置され、各個室が２階部２０に配置されることとしたが、これらの部屋の設置階は、逆であってもよい。つまり、典型的な例において、乾燥部屋３１と仮置き部屋３２とが設置された階と、個室が設置された階とが異なっていればよい。
【００６２】
あるいは、乾燥部屋３１と仮置き部屋３２と廊下１７との位置関係は、住戸内に階段を有さない平屋や集合住宅にも適用することができる。
【００６３】
また、仮置き部屋３２内に設けられる複数の仮置き空間６０は、仕切り板等によって物理的に仕切られていなくてもよく、隣り合う仮置き空間６０間の境界部が明確になるよう互いに区切られていればよい。
【００６４】
（居間の片付け作業のシェア）
次に、居間１２の片付け作業のシェアを促すことのできる住宅の設備について説明する。図９には、居間１２に設置されたキャビネット３３および壁面ラック３４が模式的に示されている。
【００６５】
図９に示されるように、キャビネット３３は、複数の個人ボックス（引き出し）７１を有している。個人ボックス７１の数は、居住者の人数以上となるように定められている。これにより、各居住者は、居間１２で使用した物を、自分で個人ボックス７１に片付けることができる。
【００６６】
なお、キャビネット３３においても、各個人ボックス７１に、他と識別可能とするための情報（番号、色など）を表示しておくことが望ましい。ここで使用される情報は、仮置き部屋３２の仮置き空間６０で使用される情報と共通であることが望ましい。
【００６７】
キャビネット３３は、個人ボックス７１以外にも、個人ボックス７１よりも大きい複数の引き出し７２を有している。これにより、居間１２に散らかりがちな文具や薬箱、家電の説明書などを、引き出し７２に片付けることができる。また、キャビネット３３の背が低いため、キャビネット３３の上面を、宿題や仕事用具の一時置き場とすることもできる。キャビネット３３は、プリンター等を収納するオープン棚７３も有していてもよい。
【００６８】
このようなキャビネット３３を予め居間１２に設置しておくことで、居間１２を自然と片付いた状態にすることができる。なお、図１では、キャビネット３３が、居間１２のうちキッチン１３寄りのダイニング空間に配置されている。この場合、背の低いキャビネット３３は、家族が、食事時以外の多くの時間を過ごすリビング空間から見えにくい。そのため、キャビネット３３の上面に仕事用具等を雑然と置いていたとしても、リビング空間はすっきりとした状態を維持することができる。
【００６９】
図１、図９および図１０に示されるように、壁面ラック３４は、キャビネット３３近くの仕切り壁に埋め込まれた薄型の収納空間７４と、収納空間７４の表面を覆う開き扉７５とを含む。収納空間７４には、郵便物、クーポン券などを入れることができる。したがって、居間１２のテーブルの上に郵便物を置きっぱなしにしたり、クーポン券を失くしたりすることを減らすことができる。
【００７０】
また、開き扉７５の両面には、マグネットで紙が貼れるようになっている。そのため、開き扉７５の表面には、確認頻度の高い、学校からのお便りや、ゴミの収集日程表などを貼り付けておくことができる。このような紙は、キッチン１３の冷蔵庫の扉に貼り付けられることが多いが、壁面ラック３４を居間１２に設けることで、重要な連絡事項を確認し易くなる。また、冷蔵庫の扉が紙だらけとなることも防げるため、冷蔵庫の使い勝手も良くなる。このような理由から、壁面ラック３４を「紙蔵庫」と表現することができる。
【００７１】
（玄関周りの片付け作業のシェア）
最後に、玄関１１周りの片付け作業のシェアを促すことのできる住宅の間取りおよび設備について説明する。
【００７２】
図１に示されるように、玄関１１付近には、玄関土間１１ａから直接、玄関ホール１１ｂへ向かうメイン通路と、玄関土間１１ａからクロークルーム３５を介して、廊下１７に抜けるサブ通路とが設けられる。クロークルーム３５には、家族が外出に必要な衣服や物を収納する衣服クローク部８１と、家族が平日に履く靴を収納する靴クローク部８２とが設置されている。
【００７３】
図１１に示されるように、衣服クローク部８１は、居住者それぞれの個人用ロッカー９１により構成されている。各個人用ロッカー９１内には、上着、帽子、傘、自転車や車のカギ、学校用具などが収納可能である。
【００７４】
図１２に示されるように、靴クローク部８２は、居住者それぞれの個人用靴箱９２によって構成されている。個人用靴箱９２は、１足か２足程度しか入らない比較的小さな靴箱であってもよい。靴クローク部８２は、クロークルーム３５の床面３５ａから浮いた状態で設置されている。そのため、クロークルーム３５の床面３５ａが玄関土間１１ａと同様に構成されているような場合には、靴クローク部８２の下方空間に、濡れた長靴を置いたり、翌日に出すゴミの入った袋を置いたりすることができる。
【００７５】
衣服クローク部８１および靴クローク部８２においても、ロッカー９１および靴箱９２に、他と識別可能とするための情報（番号、色など）を表示しておくことが望ましい。ここで使用される情報もまた、仮置き部屋３２の仮置き空間６０で使用される情報と共通であることが望ましい。
【００７６】
図１２に示されるように、靴クローク部８２が取付けられた壁面には、メッセージボード８４が取付けられていてもよい。また、衣服クローク部８１および靴クローク部８２のうちの少なくとも一方は、通常の下駄箱１１ｃに隣接して設けられてもよい。
【００７７】
このように、玄関土間１１ａに繋がるクロークルーム３５を設けることで、各自が、身の回りの物を片付け易くなる。したがって、玄関ホール１１ｂや居間１２が散らかるのを防ぐことができる。
【００７８】
以上説明したように、本実施の形態に係る住宅によれば、片付けに関する様々な家事を家族でシェアすることができる。したがって、女性の家事時間を短くすることができる。また、玄関１１周りや居間１２がすっきりと片付くため、家族全員が、気持ちよく快適に過ごすことができる。
【００７９】
なお、住宅は、上記した片付け作業の家事シェアに限らず、家事時間を短縮できる間取りとなっていてもよい。
【００８０】
具体的には、キッチン１３に隣接して、分別ゴミ専用のスペースを設けてもよい。これにより、毎日のゴミは、キッチン１３内のダストボックスに仮置きしておき、空いた時間に、仮置きされたゴミをゴミスペースで分別することができる。このようなゴミスペースをキッチン１３横に設けることで、気付いた人がゴミ分別およびゴミ出しを行い易くすることができる。この分別ゴミ専用スペースの壁に勝手口を設けてもよい。
【００８１】
あるいは、玄関１１の近くにキッチン１３を設け、玄関１１とキッチン１３との間にゴミスペースを設けてもよい。これにより、外出する人が、ゴミスペースに置かれたキッチン１３のゴミを、持って出ることができる。これにより、ゴミ出し担当を決めなくても、各居住者が自発的にゴミ出しをし易くなる。
【００８２】
上記した住宅は、子育てファミリー向けの住宅として説明したが、子育てファミリーに限定されず、複数の居住者が住む住宅に適用可能である。
【００８３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００８４】
１０  １階部、２０  ２階部、１１  玄関、１１ａ  玄関土間、１１ｂ  玄関ホール、１２  居間、１３  キッチン、１４，２４  トイレ、１５  浴室、１６  洗面・洗濯室、１７，２６  廊下、１８，２７  階段、１８ａ  昇降口、２１  寝室、２１ａ，２１ｂ，２２ａ，２３ａ  衣服収納部、２２，２３  子供部屋、２５  納戸、２７  バルコニー、３１  乾燥部屋、３２  仮置き部屋、３３  キャビネット、３４  壁面ラック、３５  クロークルーム、４１，４２，４３，４４，４５，４６  出入口、５１  洗濯竿、５２  洗濯機、５３  カウンターテーブル、６０  仮置き空間、６１，６１Ａ，６１Ｂ，６２  棚、６３  仕切り板、６４  横板、６５  ハンガーパイプ、６６  正規収納空間、７１  個人ボックス、７２  引き出し、７３  オープン棚、７４  収納空間、７５  開き扉、８１  衣服クローク部、８２  靴クローク部、８４  メッセージボード、９１  個人用ロッカー、９２  個人用靴箱。
【図１】
2017066629.tif 000003
【図２】
2017066629.tif 000004
【図３】
2017066629.tif 000005
【図４】
2017066629.tif 000006
【図５】
2017066629.tif 000007
【図６】
2017066629.tif 000008
【図７】
2017066629.tif 000009
【図８】
2017066629.tif 000010
【図９】
2017066629.tif 000011
【図１０】
2017066629.tif 000012
【図１１】
2017066629.tif 000013
【図１２】
2017066629.tif 000014